(57)【要約】【課題】従来技術のＯ脚矯正用の履物の、履き心地や見栄えならびに矯正効果を改善した矯正用靴を提供する。【解決手段】本発明の矯正用靴は、可撓性靴底を備えた脚部矯正用の靴において、該可撓性靴底は、中底と表底との間に、靴底の前部接地面に対応する部分の母趾側の略縦半分が易圧縮性弾性材料で形成され、残りの部分が難圧縮性弾性材料で形成されていて、非加圧時に全体が略一様な厚さを有する機能性弾性層を設けてなることを特徴とし、特に前記中底と前記機能性弾性層との間に、弾性中間層を設けてなることが好ましい。【選択図】図１
2005224335.tif 000002
【特許請求の範囲】
【請求項１】
可撓性靴底を備えた脚部矯正用の靴において、該可撓性靴底は、中底と表底との間に、靴底の前部接地面に対応する部分の母趾側の略縦半分が易圧縮性弾性材料で形成され、残りの部分が難圧縮性弾性材料で形成されていて、非加圧時に全体が略一様な厚さを有する機能性弾性層を設けてなることを特徴とする矯正用靴。
【請求項２】
前記中底と前記機能性弾性層との間に、弾性中間層を設けてなることを特徴とする請求項１に記載の矯正用靴。
【請求項３】
前記機能性弾性層は、少なくとも母趾球に接する位置に対応する部分を易圧縮性弾性材料で形成すると共に、該易圧縮性弾性材料の難圧縮性弾性材料と接する部分の肉厚が相手方に向かって徐々に薄くなり、かつ該難圧縮性弾性材料の該易圧縮性弾性材料と接する部分の肉厚が相手方に向かって徐々に薄くなるように、重層して構成されていることを特徴とする請求項１または２に記載の矯正用靴。
【請求項４】
前記易圧縮性弾性材料が、ゴム状弾性樹脂からなるスポンジ体であることを特徴とする請求項１ないし３のいずれかに記載の矯正用靴。
【請求項５】
踵部が高くなるように構成されていることを特徴とする請求項１ないし４のいずれかに記載の矯正用靴。
【発明の詳細な説明】
【技術分野】
【０００１】
本発明は、Ｏ脚を矯正するために用いる矯正用靴に関し、特に歩行する際に膝や踝の傾きを自然に調整して、快適に矯正を行える矯正用靴に関するものである。
【背景技術】
【０００２】
従来から、偏平足の矯正のために、土踏まず部分に上方に盛り上がり部を設けた中底を有する靴や中敷が提案されており、また外反母趾対策のために、母趾位置に凹部を設けた中敷も提案されている。その一方でＯ脚の矯正には、膝の外側に体重が多く掛かるように履物を調整することが有効とされ、例えば、土踏まずの外側部分（ウェッチ）を高くするためのパッドを中敷として用いる、あるいは外側部分を硬くて変形し難くすると共に、内側部分を柔らかくて変形し易くしたサンダルを用いる方法などが、膝を内傾させる方法として提案されていた。
【特許文献１】特開平９−１４０４０５号公報
【特許文献２】特開２００２−１５３３０２号公報
【０００３】
しかし、上記のようなパッドを設けた中敷を用いると、履いたときに靴が歪んで見栄えが悪いばかりでなく、履き心地もよくない。またサンダルなども、見栄えや履き心地の点で、装具とは言えても履物と言えるようなものではない。
【発明の開示】
【発明が解決しようとする課題】
【０００４】
そこで本発明は、上記のような従来技術の問題点を解決することを目的としたもので、履いたまま起立している時には靴底の平らな靴と同様な履き心地を与え、歩行時には膝を内傾させるような負荷がかかる、Ｏ脚矯正用の靴を提供しようとするものである。
【課題を解決するための手段】
【０００５】
本発明の矯正用靴は、可撓性靴底を備えた脚部矯正用の靴において、該可撓性靴底は、中底と表底との間に、靴底の前部接地面に対応する部分の母趾側の略縦半分が易圧縮性弾性材料で形成され、残りの部分が難圧縮性弾性材料で形成されていて、非加圧時に全体が略一様な厚さを有する機能性弾性層を設けてなることを特徴とする。
【０００６】
本発明の矯正用靴において、前記中底と前記機能性弾性層との間に、弾性中間層を設けてなることが好ましく、また前記機能性弾性層は、少なくとも母趾球に接する位置に対応する部分を易圧縮性弾性材料で形成すると共に、該易圧縮性弾性材料の難圧縮性弾性材料と接する部分の肉厚が相手方に向かって徐々に薄くなり、かつ該難圧縮性弾性材料の該易圧縮性弾性材料と接する部分の肉厚が相手方に向かって徐々に薄くなるように、重層して構成されていることが、履き心地の点から特に好ましい。
【０００７】
また、本発明の矯正用靴において、前記易圧縮性弾性材料が、ゴム状弾性樹脂からなるスポンジ体であると、好ましい圧縮特性が得られる。
【０００８】
更に本発明の矯正用靴において、踵部が高くなるように構成されていると、母趾球部分への負荷が高くなるので、より大きい矯正効果が得られる。
【発明の効果】
【０００９】
一般的に靴底は、周囲が甲部の下縁部と結合する状態で設けられる中底と、床面に接するように設けられる表底とを結合してなるものであり、場合により中底と表底との間に中物を介在させて構成されている。そして踵部を取り付ける後部は、一般的に撓む必要はないが、前部は可撓性であることが多い。これに対して本発明の矯正用靴は、その靴底が可撓性材料で形成されているが、踵部以外は剛直である必要はない。そして本発明の靴底は、少なくともその前部を構成する各部材が、いずれも可撓性であることが必要である。
【００１０】
そして本発明の矯正用靴においては、その中底と表底との間に機能性弾性層を設けてある。この機能性弾性層は、靴底の前部接地面に対応する部分の母趾側の略半分、特に母趾から母趾球に接する縦半分が易圧縮性弾性材料で形成されており、その反対側の縦半分を含む残りの部分が難圧縮性弾性材料で形成されている。従って、このような構造を備えた靴を履いたとき、中底の上面に荷重が掛かると、機能性弾性層の易圧縮性の部分は沈み込むが、難圧縮性の部分は沈むことができない。
【００１１】
そこで、本発明の矯正用靴を履いて起立しているときは、左右の足に体重が均等に掛かるうえ、難圧縮性の踵部にも荷重が分散するので、機能性弾性層の易圧縮性の部分は殆ど圧縮されず、中底は平坦に近い状態を維持するから、普通の構造を有する靴を履いているような外見を示す。ところで、健常者がこの姿勢から歩行状態に入ると、片足の踵から第２趾方向に体重が移動して、特に母趾球部分に荷重が集中し、次いで母趾と第２趾の中間方向に体重が移動して地面を蹴ることで、荷重がなくなる状態が繰り返される。機能性弾性層の易圧縮性の部分に掛かる圧力は起立状態の平均荷重の２倍以上にも達するから、易圧縮性の部分は強く圧縮されて沈むことになる。
【００１２】
ところが外反母趾やＯ脚の履用者の場合には、歩行に際して踵から母趾球部分に荷重が集中して母趾球部分が沈み込んだ後に、第４趾方向に体重が移動するので、ウェッチ部分にパッドを設けたと同様な状態となって膝を内傾させる力が働き、Ｏ脚矯正の効果が現れる。そして、上記の歩行時における中底の沈み込み作用とその効果は、踵部が高くなるとより顕著となる。更に、上記のように母趾球部分が易圧縮性の部分に沈み込むと、それまで斜下方向ないし横方向を向いていた母趾は、前方に向けて持ち上げられる状態となるので、外反母趾による苦痛が緩和される効果も現れる。
【発明を実施するための最良の形態】
【００１３】
以下、本発明の矯正用靴の構成を、図面に示す例に基づいて詳細に説明する。
図１は、本発明の矯正用靴の側面図であり、また図２は、本発明の矯正用靴の正面図であって、図３は、本発明の矯正用靴の要部の横断面図である。そして１は甲部、２は表底であり、３は中底、４は踵部であるが、ここでいう中底３は、一般にいう中底３と表底２との間に設けられる中物に当たる部分を一体として含む、厚手の中底を意味していることに留意されたい。なお、これらの図面から、本発明の矯正用靴の外観は、靴の製造方法の違いによって異なる場合があり、従来の紳士靴や婦人靴とは僅かな差があるとしても、デザイン上では殆ど同様であると考えてよいことが分かる。
【００１４】
そして、図３および図４から分かるように、本発明の矯正用靴の中底３と表底２との間には、機能性弾性層５が設けられており、また中底３と機能性弾性層５との間には、弾性中間層６が設けられていて、これらの各層の間は、それぞれ接着剤などによって結合されている。また、この機能性弾性層５は、例えば、圧縮開始荷重が２kgf/cm2 程度の半硬質のゴム状弾性樹脂スポンジなどからなる、易圧縮性の弾性材料部材５ａと、例えば、圧縮開始荷重が少なくとも１０kgf/cm2 程度の半硬質合成樹脂スポンジなどからなる、難圧縮性の弾性材料部材５ｂとを組み合わせて、一体に接着して結合された、可撓性のシート状体で形成されている。
【００１５】
こうした機能性弾性層５は図４から分かるように、難圧縮性弾性材料部材５ｂの厚手のシートの一部を切り欠いて、その切欠き端縁部の肉厚が徐々に薄くなるように形成しておき、またその切欠き部に嵌め込む予定の易圧縮性の弾性材料部材５ａも、その周縁部の肉厚が上記と同様に徐々に薄くなるように、かつそれらのテーパー形状が相補的となるように形成しておく。そして、難圧縮性弾性材料部材５ｂの切欠き端縁部と易圧縮性弾性材料部材５ａの周縁部とを、相互に嵌め込んだうえそれぞれの縁部を重層し、接着剤により接合して、略一様な肉厚、例えば５〜１０mmのシート状とした機能性弾性層５を得ることができる。
【００１６】
こうして作成された機能性弾性層５は、易圧縮性弾性材料部材５ａの部分と難圧縮性弾性材料部材５ｂの部分との境界で、圧縮性が滑らかに変化するため、この構造を備えた本発明の矯正用靴は、履き心地が極めて良好であるが、更に中底３と機能性弾性層５との間に、例えばゴム状軟質弾性樹脂などで形成された弾性中間層６を設けることで、より快適な履き心地を実現することができる。
【００１７】
しかしながら、上記の易圧縮性弾性材料部材５ａや難圧縮性弾性材料部材５ｂの、圧縮開始荷重や肉厚、或いはそれらの形状などは、それぞれ履用者の履用の目的、履用者の体重や体格などばかりでなく、履用する場所などに応じて選んだ靴のデザインなどを考慮して、それぞれ適切なものを選択し或いは調整を加えて、靴の製造に用いることが必要である。
【００１８】
また本発明の矯正用靴における踵部４は、特に高くすることが必須ではないが、ある程度の高さを持たせると、靴底が可撓性であることと相まって、母趾球位置の部分付近から靴底が上向きに曲がることができるから、履用者の体重が母趾球部分により多く掛かって、Ｏ脚矯正効果がより高くなる。従って、本発明の矯正用靴においては、踵が低いデザインの靴よりも、ある程度踵が高めの靴を選択することが好ましい。
【産業上の利用可能性】
【００１９】
本発明の矯正用靴は、中底と表底との間に、母趾部から母趾球部分が沈み込むことができるような機能性弾性層が設けてあり、しかも靴のデザインにも特に制限がないので、見栄えがよく、また履き心地も良い。従って時刻や場所に制約されることなく、歩行中のＯ脚矯正を行うことができ、更に外反母趾の矯正もできる。
【図面の簡単な説明】
【００２０】
【図１】本発明の矯正用靴の例の側面外観図である。
【図２】本発明の矯正用靴の例の正面外観図である。
【図３】本発明の矯正用靴の要部の断面図である。
【図４】本発明の矯正用靴を構成する部材の斜視図である。
【符号の説明】
【００２１】
１      甲部
２      表底
３      中底
４      踵部
５      機能性弾性層
５ａ    易圧縮性弾性材料部材
５ｂ    難圧縮性弾性材料部材
６      弾性中間層
【図１】
2005224335.tif 000003
【図２】
2005224335.tif 000004
【図３】
2005224335.tif 000005
【図４】
2005224335.tif 000006